(57)【要約】【課題】免震床の床としての配設を容易に行い得、しかも、当該床としての再配設をも容易に行い得るフリーアクセスパネル及びこれを具備した免震床並びにこの免震床の施工方法を提供すること。【解決手段】免震床１は、基礎床面２上に配設された複数の免震装置３と、複数の免震装置３上に並置されたプレキャストコンクリート製の複数のフリーアクセスパネル４と、複数のフリーアクセスパネル４の夫々の貫通孔５を通って複数のフリーアクセスパネル４の相互間に水平方向Ｈのプレストレスを付与している複数のＰＣ鋼材６とを具備している。【選択図】図１
2014062358.tif 000002
【特許請求の範囲】
【請求項１】
免震装置及びこの免震装置上に設置される床を具備した免震床に用いられるプレキャストコンクリート製のフリーアクセスパネルであって、免震装置上に水平方向に並置されて免震床の床として用いられるフリーアクセスパネル。
【請求項２】
プレストレスを付与するための緊張材が通される水平方向に伸びた貫通孔を有している請求項１に記載のフリーアクセスパネル。
【請求項３】
水平方向と平行な第一の方向にプレストレスを付与するための一の緊張材が通される当該第一の方向に伸びた少なくとも一つの一の貫通孔と、水平方向と平行であって第一の方向に交差する第二の方向にプレストレスを付与するための他の一の緊張材が通される当該第二の方向に伸びた少なくとも一つの他の一の貫通孔とを有している請求項１に記載のフリーアクセスパネル。
【請求項４】
下面に免震装置に嵌合する嵌合凹部を有している請求項１から３のいずれか一項に記載のフリーアクセスパネル。
【請求項５】
上方に向かって断面円弧凹状の下側摺動面を有した下沓と、下沓の下側摺動面に摺動自在に接する摺動下面及び摺動上面を備えている摺動体とを有した滑り支承を具備した免震装置上に配設されるようになっていると共に下方に向かって断面円弧凹状である上側摺動面を下面に有しているフリーアクセスパネルであって、該上側摺動面で滑り支承の摺動体の摺動上面に摺動自在に接するべく、滑り支承上に配設されるようになっている請求項１から３のいずれか一項に記載のフリーアクセスパネル。
【請求項６】
免震装置、免震装置上に並置された複数のプレキャストコンクリート製のフリーアクセスパネル及び複数のフリーアクセスパネルにプレストレスを付与している緊張材を具備した免震床。
【請求項７】
フリーアクセスパネルは、プレストレスを付与するための緊張材が通されている水平方向に伸びた貫通孔を有している請求項６に記載の免震床。
【請求項８】
フリーアクセスパネルは、水平方向と平行な第一の方向にプレストレスを付与するための一の緊張材が通される当該第一の方向に伸びた少なくとも一つの一の貫通孔と、水平方向と平行であって第一の方向に交差する第二の方向にプレストレスを付与するための他の一の緊張材が通される当該第二の方向に伸びた少なくとも一つの他の一の貫通孔とを有している請求項６に記載の免震床。
【請求項９】
フリーアクセスパネルは、その下面に免震装置に嵌合する嵌合凹部を有する請求項６から８のいずれか一項に記載の免震床。
【請求項１０】
免震装置は、上方に向かって断面円弧凹状の下側摺動面を有した下沓と、下沓の下側摺動面に摺動自在に接する摺動下面及びフリーアクセスパネルの下面に摺動自在に接する摺動上面を備えていると共に下沓とフリーアクセスパネルとの間に介在される摺動体と有した滑り支承を具備しており、フリーアクセスパネルは、その下面に下方に向かって断面円弧凹状の上側摺動面を有すると共に当該上側摺動面で滑り支承の摺動体の摺動上面に摺動自在に接して滑り支承上に配設されている請求項６から８のいずれか一項に記載の免震床。
【請求項１１】
基礎上に少なくとも一つの免震装置を配設する工程と、配設した免震装置上にプレキャストコンクリート製の複数のフリーアクセスパネルを水平方向に並置する工程と、並置した複数のフリーアクセスパネルの相互間に水平方向のプレストレスを付与する工程とを具備している免震床の施工方法。
【請求項１２】
複数のフリーアクセスパネルの夫々は、水平方向に伸びた貫通孔を有しており、プレストレスは、複数のフリーアクセスパネルの夫々の貫通孔に緊張材を通して付与する請求項１１に記載の免震床の施工方法。
【請求項１３】
免震装置は、上方に向かって断面円弧凹状の下側摺動面を有した下沓と、下方に向かって断面円弧凹状の上側摺動面を有していると共に上面に嵌合突部が形成された上沓と、下沓の下側摺動面に摺動自在に接する摺動下面及び上沓の上側摺動面に摺動自在に接する摺動上面を備えていると共に下沓と上沓との間に介在された摺動体とを有した滑り支承を具備しており、フリーアクセスパネルは、その下面に上沓の嵌合突部が嵌合される嵌合凹部を有しており、滑り支承は、下沓が基礎に固定されて当該基礎上に配設され、フリーアクセスパネルは、その嵌合凹部が上沓の嵌合突部に嵌合されて滑り支承上に配設される請求項１１又は１２に記載の免震床の施工方法。
【請求項１４】
免震装置は、上方に向かって断面円弧凹状の下側摺動面を有した下沓と、下沓の下側摺動面に摺動自在に接する摺動下面及び摺動上面を備えている摺動体とを具備した滑り支承からなり、フリーアクセスパネルは、その下面に下方に向かって断面円弧凹状である上側摺動面を有しており、免震装置は、下沓が基礎に固定されることによって当該基礎上に配設され、フリーアクセスパネルは、その上側摺動面が摺動体の摺動上面に摺動自在に接して免震装置上に配設される請求項１１又は１２に記載の免震床の施工方法。
【請求項１５】
一のフリーアクセスパネルは、その側面に嵌合凹部を有しており、この一のフリーアクセスパネルに隣接する他の一のフリーアクセスパネルは、その側面に該嵌合凹部に嵌合する嵌合突部を有しており、他の一のフリーアクセスパネルの側面の嵌合突部が、一のフリーアクセスパネルの側面の嵌合凹部に嵌合されて相互に位置決めされる請求項１１から１４のいずれか一項に記載の免震床の施工方法。
【発明の詳細な説明】
【技術分野】
【０００１】
本発明は、室内に設置されるコンピュータ、サーバーのような機器や工場内に設置される機械等の機械器具類が設置される免震機能を有した免震床に用いて好適なフリーアクセスパネル及びこれを具備した免震床並びにこの免震床の施工方法に関する。
【背景技術】
【０００２】
室内に設置されるコンピュータ、サーバーのような機器や工場内に設置される機械等の機械器具類が設置される免震機能を有した免震床に関して、例えば、特許文献１では、基礎上に配置される免震構造体と、この免震構造体上に、上から見て縦横に互いに隣合うように整列して複数配置されているフロアパネルによって構成されたフリーアクセスフロアを設けた免震床構造が提案されている。
【先行技術文献】
【特許文献】
【０００３】
【特許文献１】特開２０１２−９７５００号公報
【発明の概要】
【発明が解決しようとする課題】
【０００４】
ところで、例えば、鉄骨フレームを組み、組んだ鉄骨フレーム上に複数のフリーアクセスパネル（床部材）を配設することで免震床を施工する方法が挙げられるが、この場合は、鉄骨フレーム及びフリーアクセスパネルの夫々の位置決めが難しく、また、いったん施工した後の免震床のレイアウト等に伴う再施工も困難である。
【０００５】
本発明は、前記諸点に鑑みてなされたものであって、その目的とするところは、免震床の床としての配設を容易に行い得、しかも、当該床としての再配設をも容易に行い得るフリーアクセスパネル及びこれを具備した免震床並びにこの免震床の施工方法を提供することにある。
【課題を解決するための手段】
【０００６】
免震装置及びこの免震装置上に並置される床を具備した免震床に用いられる本発明のフリーアクセスパネルは、プレキャストコンクリート製であって、免震装置上に水平方向に並置されて免震床の床として用いられる。
【０００７】
本発明のフリーアクセスパネルによれば、プレキャストコンクリート製であるために、プレストレスの付与により免震床の床としての一体化、配設を容易に行い得、しかも、当該床としての再配設をも容易に行い得る。
【０００８】
本発明のフリーアクセスパネルは、プレストレスを付与するための緊張材が通される水平方向に伸びた貫通孔を有していてもよい。
【０００９】
本発明のフリーアクセスパネルは、水平方向と平行な第一の方向にプレストレスを付与するための一の緊張材が通される当該第一の方向に伸びた少なくとも一つの一の貫通孔と、水平方向と平行であって第一の方向に交差する第二の方向にプレストレスを付与するための他の一の緊張材が通される当該第二の方向に伸びた少なくとも一つの他の一の貫通孔とを有していてもよい。
【００１０】
本発明のフリーアクセスパネルは、その下面に免震装置に嵌合する嵌合凹部を有していてもよい。斯かるフリーアクセスパネルによれば、フリーアクセスパネルの免震装置に対する位置決め、取り付けを速やかに且つ簡単に行い得る。
【００１１】
本発明のフリーアクセスパネルは、上方に向かって断面円弧凹状の下側摺動面を有した下沓と、下沓の下側摺動面に摺動自在に接する摺動下面及び摺動上面を備えている摺動体とを有した滑り支承を具備した免震装置上に配設されるようになっていると共に下方に向かって断面円弧凹状である上側摺動面を有していてもよく、この場合、フリーアクセスパネルは、その上側摺動面で滑り支承の摺動体の摺動上面に摺動自在に接するべく、滑り支承上に配設されるようになっていてもよい。斯かるフリーアクセスパネルによれば、フリーアクセスパネルの免震装置に対する位置決め、取り付けを速やかに且つ簡単に行い得る。
【００１２】
本発明の免震床は、免震装置、免震装置上に並置された複数のプレキャストコンクリート製のフリーアクセスパネル及び複数のフリーアクセスパネルにプレストレスを付与している緊張材を具備している。
【００１３】
本発明の免震床によれば、プレストレスの付与により複数のフリーアクセスパネルの一体化、配設を容易に行い得、しかも、いったん配設した複数のフリーアクセスパネルの再配設をも容易に行い得る。
【００１４】
本発明の免震床では、フリーアクセスパネルは、プレストレスを付与するための緊張材が通されている水平方向に伸びた貫通孔を有していてもよい。
【００１５】
本発明の免震床では、フリーアクセスパネルは、水平方向と平行な第一の方向にプレストレスを付与するための一の緊張材が通される当該第一の方向に伸びた少なくとも一つの一の貫通孔と、水平方向と平行であって第一の方向に交差する第二の方向にプレストレスを付与するための他の一の緊張材が通される当該第二の方向に伸びた少なくとも一つの他の一つの貫通孔とを有していてもよい。
【００１６】
本発明の免震床では、フリーアクセスパネルは、その下面に免震装置に嵌合する嵌合凹部を有していてもよい。斯かる免震床によれば、フリーアクセスパネルの免震装置に対する位置決め、取り付けを速やかに且つ簡単に行い得る。
【００１７】
本発明の免震床では、免震装置は、上方に向かって断面円弧凹状の下側摺動面を有した下沓と、下沓の下側摺動面に摺動自在に接する摺動下面及びフリーアクセスパネルの下面に摺動自在に接する摺動上面を備えていると共に下沓とフリーアクセスパネルとの間に介在される摺動体とを有した滑り支承を具備しており、フリーアクセスパネルは、その下面に下方に向かって断面円弧凹状の上側摺動面を有すると共に当該上側摺動面で滑り支承の摺動体の摺動上面に摺動自在に接して滑り支承上に配設されていてもよい。斯かる免震床によれば、フリーアクセスパネルの免震装置に対する位置決め、取り付けを速やかに且つ簡単に行い得る。
【００１８】
本発明の免震床の施工方法は、基礎上に少なくとも一つの免震装置を配設する工程と、配設した免震装置上にプレキャストコンクリート製の複数のフリーアクセスパネル（床部材）を水平方向に並置する工程と、並置した複数のフリーアクセスパネルの相互間に水平方向のプレストレスを付与する工程とを具備している。
【００１９】
本発明の免震床の施工方法によれば、プレストレスの付与によって複数のフリーアクセスパネルを簡単に一体化させることができて当該複数のフリーアクセスパネルの配設を容易に行うことができ、しかも、一体化された複数のフリーアクセスパネルをプレストレス付与の解除により分解することができて、いったん配設した複数のフリーアクセスパネルの再配設をも容易に行うことができる。
【００２０】
上述の複数のフリーアクセスパネルの夫々は、水平方向に伸びた貫通孔を有していてもよく、斯かる場合、プレストレスは、複数のフリーアクセスパネルの夫々の貫通孔に緊張材を通すことによって付与してもよい。
【００２１】
本発明の免震床の施工方法において、免震装置は、上方に向かって断面円弧凹状の下側摺動面を有した下沓と、下方に向かって断面円弧凹状の上側摺動面を有していると共に上面に嵌合突部が形成された上沓と、下沓の下側摺動面に摺動自在に接する摺動下面及び上沓の上側摺動面に摺動自在に接する摺動上面を備えていると共に下沓と上沓との間に介在された摺動体とを有した滑り支承を具備していてもよく、この場合、フリーアクセスパネルは、その下面に上沓の嵌合突部が嵌合される嵌合凹部を有していてもよく、滑り支承は、下沓が基礎に固定されて当該基礎上に配設されていてもよく、フリーアクセスパネルは、その嵌合凹部が上沓の嵌合突部に嵌合されて滑り支承上に配設されてもよい。斯かる免震装置及びフリーアクセスパネルを用いた免震床の施工方法によれば、フリーアクセスパネルの免震装置に対する位置決め、取り付けを速やかに且つ簡単に行い得る。
【００２２】
また、上述の免震装置は、上方に向かって断面円弧凹状の下側摺動面を有した下沓と、下沓の下側摺動面に摺動自在に接する摺動下面及び摺動自在に摺動上面を備えている摺動体とを有した滑り支承を具備していてもよく、斯かる場合、フリーアクセスパネルは、その下面に下方に向かって断面円弧凹状である上側摺動面を有していてもよく、免震装置は、下沓が基礎に固定されることによって当該基礎上に配設され、フリーアクセスパネルは、その上側摺動面が摺動体の摺動上面に摺動自在に接して免震装置上に配設されてもよい。斯かる免震装置及びフリーアクセスパネルを用いた免震床の施工方法によっても、フリーアクセスパネルの免震装置に対する位置決め、取り付けを速やかに且つ簡単に行い得る。
【００２３】
本発明の免震床の施工方法において、一のフリーアクセスパネルは、その側面に嵌合凹部を有していてもよく、この場合、この一のフリーアクセスパネルに隣接する他の一のフリーアクセスパネルは、その側面に該嵌合凹部に嵌合する嵌合突部を有していてもよく、他の一のフリーアクセスパネルの側面の嵌合突部が、一のフリーアクセスパネルの側面の嵌合凹部に嵌合されて相互に位置決めされてもよい。
【発明の効果】
【００２４】
本発明によれば、免震床としての配設を容易に行い得、しかも、免震床としての再配設をも容易に行い得るフリーアクセスパネル及びこれを具備した免震床並びにこの免震床の施工方法を提供し得る。
【図面の簡単な説明】
【００２５】
【図１】図１は、本発明の実施の形態の例において施工された免震床の平面説明図である。
【図２】図２は、図１に示す免震床のフリーアクセスパネルの背面説明図である。
【図３】図３は、図１に示す免震床の一部側面説明図である。
【図４】図４は、図１に示す例の第一の施工工程の説明図である。
【図５】図５は、図１に示す例の第二の施工工程の説明図である。
【図６】図６は、図１に示す例の第三の施工工程の説明図である。
【図７】図７は、本発明の実施の形態の他の例の説明図である。
【図８】図８は、本発明の実施の形態の更に他の例の説明図である。
【図９】図９は、本発明の実施の形態の更に他の例の説明図である。
【発明を実施するための形態】
【００２６】
次に本発明の実施の形態を、図に示す好ましい例に基づいて更に詳細に説明する。なお、本発明はこれら例に何等限定されないのである。
【００２７】
図１から図３において、本例の免震床の施工方法によって施工される免震床１は、基礎床面２上に配設された複数の免震装置３と、複数の免震装置３上に並置されたプレキャストコンクリート（ＰＣａ）製の複数のフリーアクセスパネル（床部材）４と、複数のフリーアクセスパネル４の夫々の貫通孔５を通って当該複数のフリーアクセスパネル４の相互間に水平方向Ｈのプレストレスを付与している複数の緊張材としてのＰＣ鋼材６とを具備している。
【００２８】
免震装置３は、本例では滑り支承として構成されており、上方に向かって断面円弧凹状の下側摺動面１１を有した下沓１２と、下方に向かって断面円弧凹状の上側摺動面１３を有していると共に上面に嵌合突部１８が形成された上沓１４と、下沓１２の下側摺動面１１に摺動自在に接する摺動下面１５及び上沓１４の上側摺動面１３に摺動自在に接する摺動上面１６を備えていると共に下沓１２と上沓１４との間に介在された円柱体からなる摺動体１７とを具備している。摺動下面１５は、下沓１２の下側摺動面１１の曲率（曲率半径Ｒ）と同一の曲率（曲率半径Ｒ）を有し、下側摺動面１１に摺動自在に接している。摺動上面１６は、上沓１４の上側摺動面１３の曲率（曲率半径Ｒ）と同一の曲率（曲率半径Ｒ）を有し、上側摺動面１３に摺動自在に接している。
【００２９】
下沓１２は、基礎床面２に固定される下沓本体２１と、下沓本体２１の断面円弧状の凹所に固着された滑り板２２とを具備しており、滑り板２２の上面が下側摺動面１１となっている。
【００３０】
下沓１２と同様に、上沓１４は、フリーアクセスパネル４に固定される上沓本体２５と、上沓本体２５の断面円弧状の凹所に固着された滑り板２６とを具備しており、滑り板２６の下面が上側摺動面１３となっている。
【００３１】
摺動体１７は、下沓１２と上沓１４との間に適度な隙間が生じるような高さをもって剛体から形成されており、その径は、下側摺動面１１及び上側摺動面１３の径よりも十分に小さい。
【００３２】
本例では、下側摺動面１１及び上側摺動面１３並びに摺動下面１５及び摺動上面１６の夫々は、球面の一部からなっており、夫々の曲率半径は、互いに同一である。
【００３３】
フリーアクセスパネル４の夫々は、平面視矩形状のプレキャストコンクリート（ＰＣａ）製のパネル本体３１と、前記貫通孔５のうち、水平方向Ｈと平行なＸ方向に伸びてパネル本体３１に形成された二本の貫通孔５ａと、前記貫通孔５のうち、水平方向Ｈと平行であってなＸ方向に直交するＹ方向に伸びてパネル本体３１に形成された二本の貫通孔５ｂと、上沓１４の嵌合突部１８が嵌合されるようにパネル本体３１の下面３２に形成された嵌合凹部３３と、パネル本体３１の一方の側面３４に形成された嵌合凹部３５と、パネル本体３１の他方の側面３６に形成された嵌合突部３７とを具備している。
【００３４】
パネル本体３１の下面３２の嵌合凹部３３には、上沓１４の嵌合突部１８が嵌合されており、これにより、フリーアクセスパネル４は免震装置３に対して位置決めされている。パネル本体３１の側面３４に形成された嵌合凹部３５には、当該パネル本体３１に隣接している他のパネル本体３１の側面３６の嵌合突部３７が嵌合されており、これにより、互いに隣接するフリーアクセスパネル４が相互に位置決めされている。
【００３５】
複数のＰＣ鋼材６の夫々は、ＰＣ鋼線、ＰＣ鋼棒、ＰＣ鋼より線などからなる。貫通孔５ａの夫々に通されたＰＣ鋼材６は、Ｘ方向において複数のフリーアクセスパネル４にプレスストレスを付与しており、貫通孔５ｂの夫々に通されたＰＣ鋼材６は、Ｙ方向において複数のフリーアクセスパネル４にプレスストレスを付与している。
【００３６】
以上のように施工された免震床１では、常時においては、摺動体１７が下側摺動面１１及び上側摺動面１３のほぼ中央に位置されて、上部構造物２の鉛直荷重を受け止めて、機械器具類が設置される一体化された複数のフリーアクセスパネル４を基礎床面２上で支持している。そして、地震等により所定以上の水平力が基礎床面２に付加されると、下側摺動面１１及び上側摺動面１３に対し摺動下面１５及び摺動上面１６の滑りが生じ、摺動体１７が揺動されつつ基礎床面２に対して前記フリーアクセスパネル４が水平方向Ｈに相対的に振動される。
【００３７】
フリーアクセスパネル４の振動において、摺動体１７は、フリーアクセスパネル４の上下動により図３に示す原点位置に復帰されようとし、しかも、基礎床面２の水平方向Ｈの移動に基づくフリーアクセスパネル４の振動は、下側摺動面１１及び上側摺動面１３の夫々と摺動下面１５及び摺動上面１６の夫々との間の摩擦により可及的速やかに減衰されることになる。したがって、地震等の水平力が基礎床面２に付加されても、フリーアクセスパネル４に設置された機械器具類が倒壊されるような事態を防ぎ得る。
【００３８】
以下、本例の免震床１を施工する免震床の施工方法について図４から図６を参照して説明する。斯かる免震床の施工方法は、基礎床面２上に複数の免震装置３を配設する第一の施工工程と、配設した複数の免震装置３上に複数のフリーアクセスパネル４を水平方向Ｈに並置する第二の施工工程と、並置した複数のフリーアクセスパネル４の相互間に水平方向Ｈのプレストレスを付与する第三の施工工程とを具備している。
【００３９】
第一の施工工程においては、複数の免震装置３がＸ方向及びＹ方向において所定の間隔をもって基礎床面２上に配置され、配置後、当該複数の免震装置３の夫々の下沓１２を基礎床面２にアンカーボルト等によって固定する。
【００４０】
第二の施工工程においては、フリーアクセスパネル４を基礎床面２上に配置された免震装置３の上方まで吊り上げて移動させ、続いて、移動させたフリーアクセスパネル４を降下させて複数の免震装置３上に設置する。この際、フリーアクセスパネル４の嵌合凹部３３の夫々は、前記複数の免震装置３の上沓１４の嵌合突部１８の夫々と嵌合し、降下させたフリーアクセスパネル４の側面３４の嵌合凹部３５は、この側面３４に隣接する他のフリーアクセスパネル４の側面３６の嵌合突部３７と嵌合し、降下させたフリーアクセスパネル４の側面３６の嵌合突部３７は、この側面３６に隣接する他のフリーアクセスパネル４の側面３４の嵌合凹部３５と嵌合し、これにより、フリーアクセスパネル４は基礎床面２及び免震装置３に対して位置決めされる。所定数のフリーアクセスパネル４の免震装置３への設置が完了すると、当該所定数のフリーアクセスパネル４は、水平方向ＨであってＸ方向及びＹ方向において並置された状態となる。尚、本例では、嵌合凹部３３は、一枚の矩形状のフリーアクセスパネル４の四隅近傍内側の夫々に形成されており、免震装置３は、一枚の矩形状のフリーアクセスパネル４に対してその四つの嵌合凹部３３の夫々に嵌合するように基礎床面２に斯かる四つの嵌合凹部３３に対応して四個配設される。
【００４１】
第三の施工工程においては、免震装置３上に水平方向Ｈに並置された所定数のフリーアクセスパネル４の貫通孔５ａの夫々にＰＣ鋼材６を通すと共に貫通孔５ｂの夫々にもＰＣ鋼材６を通す。貫通孔５ａの夫々に通したＰＣ鋼材６の夫々は、Ｘ方向において配列された複数のフリーアクセスパネル４を貫いており、この貫通孔５ａの夫々に通したＰＣ鋼材６の夫々を用いて複数のフリーアクセスパネル４の相互間にＸ方向のプレストレスを付与する。貫通孔５ｂの夫々に通したＰＣ鋼材６の夫々は、Ｙ方向において配列された複数のフリーアクセスパネル４を貫いており、この貫通孔５ｂの夫々に通したＰＣ鋼材６の夫々を用いて複数のフリーアクセスパネル４の相互間にＹ方向のプレストレスを付与する。
【００４２】
以上のようにして、免震床１は施工される。尚、いったん施工した免震床１を再施工する場合には、まず、ＰＣ鋼材６による複数のフリーアクセスパネル４に対するプレストレスの付与を解除し、ＰＣ鋼材６を貫通孔５から抜出し、次に、フリーアクセスパネル４の夫々を吊り上げていったん除去し、次に、免震装置３を基礎床面２から取り外す。その後の施工は、上述の第一から第三の施工工程と同様である。このように、レイアウト変更等に伴うフリーアクセスパネル４の配列変更等が容易に行える。
【００４３】
免震装置３及び免震装置３上に並置された複数のフリーアクセスパネル４を具備した免震床１に用いられる本例のフリーアクセスパネル４は、プレキャストコンクリート製であるために、プレストレスの付与により複数のフリーアクセスパネル４の一体化、配設を容易に行い得、しかも、いったん配設した複数のフリーアクセスパネル４の再配設をも容易に行い得る。
【００４４】
本例の免震床１は、免震装置３、免震装置３上に並置された複数のプレキャストコンクリート製のフリーアクセスパネル４及び複数のフリーアクセスパネル４にプレストレスを付与している緊張材としてのＰＣ鋼材６を具備しているために、プレストレスの付与により複数のフリーアクセスパネル４の一体化、配設を容易に行い得、しかも、いったん配設した複数のフリーアクセスパネル４の再配設をも容易に行い得る。
【００４５】
本例の免震床の施工方法によれば、基礎床面２上に少なくとも一つの免震装置３を配設する工程と、配設した免震装置３上にプレキャストコンクリート製の複数のフリーアクセスパネル４を水平方向Ｈに並置する工程と、並置した複数のフリーアクセスパネル４の相互間に水平方向Ｈのプレストレスを付与する工程とを具備しているために、プレストレスの付与によって複数のフリーアクセスパネル４を簡単に一体化させることができて当該複数のフリーアクセスパネル４の配設を容易に行うことができ、しかも、一体化された複数のフリーアクセスパネル４をプレストレス付与の解除により分解することができて、いったん配設した複数のフリーアクセスパネル４の再配設をも容易に行うことができる。
【００４６】
免震床の施工方法によれば、免震装置３は、上方に向かって断面円弧凹状の下側摺動面１１を有した下沓１２と、下方に向かって断面円弧凹状の上側摺動面１３を有していると共に上面に嵌合突部１８が形成された上沓１４と、下沓１２の下側摺動面１１に接する摺動下面１５及び上沓１４の上側摺動面１３に接する摺動上面１６を備えていると共に下沓１２と上沓１４との間に介在された摺動体１７とを具備した滑り支承からなっており、フリーアクセスパネル４の下面３２には、上沓１４の嵌合突部１８が嵌合される嵌合凹部３３が形成されており、免震装置３は、下沓１２が基礎床面２に固定されることによって当該基礎床面２上に配設され、フリーアクセスパネル４はその嵌合凹部３３が上沓１４の嵌合突部１８に嵌合されることによって配設されるために、フリーアクセスパネル４の免震装置３に対する位置決め、取り付けを速やかに且つ簡単に行い得る。
【００４７】
本例では、第三の施工工程においては貫通孔５を貫くＰＣ鋼材６が用いられているが、これに代えて又は加えて、例えば、図７に示すように、免震装置３上に並置された互いに隣接するフリーアクセスパネル４の夫々の端部４１及び４２に装着されて当該隣接するフリーアクセスパネル４の相互間にプレストレスを付与する緊張材としてのＰＣ鋼材４３を用いて、第三の施工工程においてプレストレスを付与してもよい。
【００４８】
本例では、免震装置３は、一枚のフリーアクセスパネル４の四隅近傍内側の夫々に配置されるが、これに代えて又は加えて、例えば、図８に示すように、互いに隣接するフリーアクセスパネル４の夫々に嵌合等により連結されるように免震装置４４が第一の施工工程において配置されてもよい。
【００４９】
本例では、フリーアクセスパネル４には、嵌合凹部３３が形成されているが、これに代えて、例えば、図９に示すように、下方に向かって断面円弧凹状の上側摺動面４５がフリーアクセスパネル４の下面３２に形成されていてもよく、斯かる場合には、上沓１４を省いた免震装置３、すなわち、上方に向かって断面円弧凹状の下側摺動面１１を有した下沓１２と、下沓１２の下側摺動面１１に接する摺動下面１５及びフリーアクセスパネル４の下面３２に摺動自在に接する摺動上面１６を備えていると共に下沓１２とフリーアクセスパネル４との間に介在される摺動体１７とを具備した滑り支承からなる免震装置３を基礎床面２上に配置してもよい。この場合、フリーアクセスパネル４は、第二の施工工程において、その上側摺動面４５が摺動体１７の摺動上面１６に接して配設される。上側摺動面４５は、フリーアクセスパネル４の下面３２に設けられた滑り板２６と同様に形成された滑り板４６の下面からなっていてもよい。
【符号の説明】
【００５０】
１  免震床
２  基礎床面
３、４４  免震装置
４  フリーアクセスパネル
５、５ａ、５ｂ  貫通孔
６、４３  ＰＣ鋼材
【図１】
2014062358.tif 000003
【図２】
2014062358.tif 000004
【図３】
2014062358.tif 000005
【図４】
2014062358.tif 000006
【図５】
2014062358.tif 000007
【図６】
2014062358.tif 000008
【図７】
2014062358.tif 000009
【図８】
2014062358.tif 000010
【図９】
2014062358.tif 000011